(57)【要約】  ハウジング（１）と、前記ハウジング（１）内に収容された電子アセンブリ（２）とを有する照明装置（１００）において、  前記照明装置（１００）はさらに、前記電子アセンブリ（２）の少なくとも一方の側に設けられた少なくとも１つの調節機構（３）を含み、  前記調節機構（３）は、前記電子アセンブリ（２）と操作可能に接続されており、  前記調節機構（３）は、前記電子アセンブリ（２）が前記ハウジング（１）内で張力がかかった状態で保持されるように、前記ハウジング（１）の外部から操作される、ことを特徴とする照明装置（１００）。
2015524151.tif 000002
【特許請求の範囲】
【請求項１】
ハウジング（１）と、前記ハウジング（１）内に収容された電子アセンブリ（２）とを有する照明装置（１００）において、
前記照明装置（１００）はさらに、前記電子アセンブリ（２）の少なくとも一方の側に設けられた少なくとも１つの調節機構（３）を含み、
前記調節機構（３）は、前記電子アセンブリ（２）と操作可能に接続されており、
前記調節機構（３）は、前記電子アセンブリ（２）が前記ハウジング（１）内で張力がかかった状態で保持されるように、前記ハウジング（１）の外部から操作される、
ことを特徴とする照明装置（１００）。
【請求項２】
前記調節機構（３）は、前記電子アセンブリ（２）に対して前記ハウジング（１）の端部の方向に力が作用するように操作される、
ことを特徴とする請求項１記載の照明装置（１００）。
【請求項３】
前記調節機構（３）は、前記ハウジング（１）内に設けられたコネクタ（４）と、部分的に前記ハウジング（１）の中へと延在するねじ調節部材（５）とを含み、
前記コネクタ（４）の第１端部（Ａ）は、前記電子アセンブリ（２）の端部（Ｃ）と固定され、前記コネクタ（４）の第２端部（Ｂ）は、前記ねじ調節部材（５）と螺合される、
ことを特徴とする請求項２記載の照明装置（１００）。
【請求項４】
前記第１端部（Ａ）に、前記端部（Ｃ）を収容するための停止スロット（６）が開口されている、
ことを特徴とする請求項３記載の照明装置（１００）。
【請求項５】
前記コネクタ（４）は、前記ねじ調節部材（５）をねじ込む及び／又はねじ緩めるための、前記第２端部（Ｂ）に設けられた調節部を含む、
ことを特徴とする請求項３記載の照明装置（１００）。
【請求項６】
前記調節部は、長孔（７）と、前記長孔（７）の中に埋め込まれたナット（８）とを含み、
前記ねじ調節部材（５）は、前記ナット（８）とのねじ結合によって前記長孔（７）の中を移動する、
ことを特徴とする請求項５記載の照明装置（１００）。
【請求項７】
前記調節部は、ねじ切付きの長孔である、
ことを特徴とする請求項５記載の照明装置（１００）。
【請求項８】
前記ハウジングは、軸方向の２つの端面（９）と、前記ねじ調節部材（５）を貫通させるための貫通孔（１０）とを有し、前記貫通孔（１０）は、前記端面（９）の少なくとも一方に開口されている、
ことを特徴とする請求項３記載の照明装置（１００）。
【請求項９】
前記ねじ調節部材（５）は、雄ねじ（ねじ山）を備えたねじロッド（１１）と、前記ねじロッド（１１）の一方の端部に形成された停止端部（１２）とを有する、
ことを特徴とする請求項８記載の照明装置（１００）。
【請求項１０】
前記貫通孔（１０）の周縁は、停止領域（１３）を形成するために、前記少なくとも一方の端面（９）に対して凹形になっている、
ことを特徴とする請求項８記載の照明装置（１００）。
【請求項１１】
前記ハウジング（１）は、管状体（１４）と、少なくとも１つのエンドキャップ（１５）とを有し、前記エンドキャップ（１５）上に、前記少なくとも一方の端面（９）が形成される、
ことを特徴とする請求項１０記載の照明装置（１００）。
【請求項１２】
前記管状体（１４）は、前記エンドキャップ（１５）によって閉鎖される１つの開放端部（Ｄ）と、１つの閉鎖端部とを有し、
前記２つの端面（９）は、それぞれ前記エンドキャップ（１５）上と、前記閉鎖端部上とに形成され、
前記調節機構（３）は、前記電子アセンブリ（２）が前記ハウジング（１）内で張力がかかった状態で保持されるように、前記エンドキャップ（１５）の一方の側から操作される、
ことを特徴とする請求項１１記載の照明装置（１００）。
【請求項１３】
前記管状体（１４）は、２つのエンドキャップ（１５）によって閉鎖される２つの開放端部（Ｄ）を有し、
前記２つの端面（９）は、それぞれ前記エンドキャップ（１５）上に形成され、
前記電子アセンブリ（２）が前記ハウジング（１）内で張力がかかった状態で保持されるように、２つの調節機構（３）が、それぞれ前記エンドキャップの一方の側から操作される、
ことを特徴とする請求項１１記載の照明装置（１００）。
【請求項１４】
前記照明装置（１００）は、管形に構成されており、
前記電子アセンブリ（２）は、条片状の回路基板（１６）と、前記回路基板（１６）上に取り付けられた光源（１７）とを含む、
ことを特徴とする請求項１から１３のいずれか一項記載の照明装置（１００）。
【請求項１５】
前記光源（１７）は、ＬＥＤチップである、
ことを特徴とする請求項１４記載の照明装置（１００）。
【発明の詳細な説明】
【技術分野】
【０００１】
本発明は、照明装置に関する。
【背景技術】
【０００２】
近年の照明装置において、照明装置の内部構造に対する要求は益々高くなっている。例えば電子アセンブリ、及び、照明装置のハウジングは、低コストと緊密に結びついている。特に、例えばＬＥＤチップのようなＬＥＤデバイスが照明装置の中に取り付けられる状況の場合には、ＬＥＤチップとフレームとを支持する回路基板を、照明装置のハウジング内に取り付け及び／又は固定するために、妥当なコストで構造を設計する必要がある。例えば、Ｔ８／Ｔ５管のような管状の輪郭を有する照明装置の場合には、回路基板は、当該回路基板の延在方向に沿って補助的な材料を用いてランプ本体の内部に固定される。
【０００３】
従来技術では、回路基板を支持する金属製フレームは、固定的な接続を実現するために、一般的には接着剤を用いて管の内側面に貼り付けられている。このような固定構造によれば、照明装置は、光を出力するために１つの側しか使用することができず、照明領域は、接着剤の領域をカバーすることができなくなる。回路基板と固定用の接着剤とを支持する金属フレームは、比較的大きな自重を有するので、一方では照明装置自体の重量が比較的大きくなり、他方では照明装置のコストが比較的高くなってしまう。また、比較的寸法の大きい照明装置、特に比較的長い照明装置の場合には、このような固定方法を用いて回路基板を固定することは困難である。
【０００４】
上記の問題を回避するために、例えば比較的寸法の大きい管状の照明装置において、接着剤等のような固定用の補助的な材料を用いることなく、例えばＬＥＤチップのような光源を支持する回路基板を、照明装置のハウジング内に固定的に取り付けることができるように改善する必要がある。
【発明の概要】
【発明が解決しようとする課題】
【０００５】
従って本発明の課題は、簡単に製造可能であり、低コスト、かつ自重が軽い照明装置を提供することである。さらに、照明装置の内部のアセンブリを、接着剤を用いずにハウジング内に保持し、多方向又は全方向に光を出力できるようにしたい。
【０００６】
本発明の照明装置は、ハウジングと、前記ハウジング内に収容された電子アセンブリとを有し、前記照明装置はさらに、前記電子アセンブリの少なくとも一方の側に設けられた少なくとも１つの調節機構を含み、前記調節機構は、前記電子アセンブリと操作可能に接続されており、前記調節機構は、前記電子アセンブリが前記ハウジング内で張力がかかった状態で保持されるように、前記ハウジングの外部から操作される、ことを特徴とする。本発明によれば、ユーザは、外部から直接的に調節機構を操作することが可能となり、さらに、調節機構に相対する電子アセンブリの一方の側を引っ張るために、ハウジングの当該側から電子アセンブリに作用力を加えることが可能となる。従って、電子アセンブリをハウジングの周壁に接触させたり、ハウジングの周壁に固定させたりする必要はない。その代わりに、電子アセンブリは、ハウジングの２つの端部の間でただ「張力がかかった（引っ張られた）」状態で保持される。このようにしてハウジング内に固定された電子アセンブリは、周方向に３６０°の照明範囲を提供することが可能であり、これにより、電子アセンブリの設置位置が原因で全方向性の照明を実現することができない、という従来技術の欠点が回避される。
【０００７】
本発明の好ましい１つの実施形態によれば、調節機構は、電子アセンブリに対してハウジングの端部の方向に力が作用するように操作することができる。ユーザは、電子アセンブリに加えられる作用力を調節機構によって変化させることができ、その後、電子アセンブリの端部とハウジングの対応する端部との間の距離を、軸方向に、すなわちハウジングの延在方向に変化させることができ、このようにして電子アセンブリは、２つの端部の間で引っ張られる。
【０００８】
本発明の好ましい１つの実施形態によれば、調節機構は、ハウジング内に設けられたコネクタと、外部から部分的にハウジングの中へと延在するねじ調節部材とを含み、コネクタの第１端部は、電子アセンブリの端部と固定され、コネクタの第２端部は、ねじ調節部材と螺合される。調節機構は、一方ではハウジングと電子アセンブリとを接続させ、他方ではねじ調節部材によって、電子アセンブリと、調節機構が設けられた端部との間の距離を変化させることが可能である。
【０００９】
本発明の好ましい１つの実施形態によれば、コネクタの第１端部に、電子アセンブリの端部を収容するための停止スロットが開口されている。この停止スロットの中に、電子アセンブリの端部を挿入することができ、これら２つは、追加的な固定部とコネクタとによって位置固定的に接続される。このようにして、調節している間に電子アセンブリの位置がコネクタに対して変位することを阻止することができ、これによってハウジングの端部の方向への引張力が、電子アセンブリへと軸方向に加えられる。
【００１０】
本発明の別の１つの好ましい実施形態によれば、ねじ調節部材をねじ込む及び／又はねじ緩めるために、コネクタの第２端部には調節部が設けられている。このねじ調節部材は、例えばねじ又はねじに類似のものである。
【００１１】
本発明の別の１つの好ましい実施形態によれば、調節部は、長孔と、長孔の中に埋め込まれたナットとを含み、ねじ調節部材は、ナットとのねじ結合によって長孔の中を移動する。この場合には、コネクタは、例えばプラスチック材料から製造されており、金属製のナットは、ねじ調節部材とのねじ結合を形成するためにインサート射出工程によってコネクタ内に配置することができる。
【００１２】
本発明の好ましい１つの実施形態によれば、調節部は、ねじ切付きの長孔である。この場合には、調節部は、端面の一方の側から電子アセンブリの方向に延在しており、長孔の内側表面に、ねじ切構造が形成されている。
【００１３】
本発明の好ましい１つの実施形態によれば、ハウジングは、軸方向の２つの端面と、ねじ調節部材を貫通させるための貫通孔とを有し、この貫通孔は、端面の少なくとも一方に開口されている。貫通孔を貫通するねじ調節部材によって、ハウジングの外部から軸方向に電子アセンブリへと作用力を加えることができる。
【００１４】
本発明の好ましい１つの実施形態によれば、ねじ調節部材は、雄ねじ（ねじ山）を備えたねじロッドと、ねじロッドの一方の端部に形成された停止端部とを有する。停止端部をねじ込む際に、ねじロッドの雄ねじ（ねじ山）を、調節部に設けられたねじ切構造に適合させることによって、ねじ調節部材は、調節部の中を軸方向に移動することができる。
【００１５】
本発明の好ましい１つの実施形態によれば、貫通孔の周縁は、停止領域を形成するために、端面に対して凹形になっている。
【００１６】
電子アセンブリに相対する方向にねじ調節部材をねじ込むことによって、ねじ調節部材の停止端部は、停止領域を押圧して、ハウジングの端面を電子アセンブリの方向に押圧することができ、これによってハウジングの反対側の端面と協働して、電子アセンブリをハウジングの２つの端部の間で張力がかかった状態で保持する。
【００１７】
本発明の好ましい１つの実施形態によれば、ハウジングは、管状体と、少なくとも１つのエンドキャップとを有し、このエンドキャップ上に、ハウジングの端面が形成されている。ハウジング内での電子アセンブリの状態を変化させるための調節機構は、ハウジングの端面において、特にエンドキャップにおいて作動する。このようにして、ハウジングの１つ又は両方の端部から電子アセンブリへと作用力を加えることができる。
【００１８】
本発明の好ましい１つの実施形態によれば、管状体は、エンドキャップによって閉鎖される１つの開放端部と、１つの閉鎖端部とを有し、ハウジングの２つの端面は、それぞれエンドキャップ上と、閉鎖端部上とに形成され、調節機構は、電子アセンブリがハウジング内で張力がかかった状態で保持されるよう、エンドキャップの一方の側から操作可能である。管状体の一方の端部が、当該管状体と一体的に形成された閉鎖端面を有する場合には、管状体の開口端部を閉鎖するために、ただ１つのエンドキャップだけが必要であり、閉鎖端面は、電子アセンブリの一方の端部と接続されており、その一方で、エンドキャップは、電子アセンブリの他方の端部と接続されている。電子アセンブリの固定状態を調節する場合には、ハウジング内の電子アセンブリによって支えられる張力が増加又は減少するように、エンドキャップと電子アセンブリとの間の距離を調節機構によって変化させるだけでよい。
【００１９】
本発明の好ましい１つの実施形態によれば、管状体は、２つのエンドキャップによって閉鎖される２つの開放端部を有し、ハウジングの２つの端面は、それぞれエンドキャップ上に形成され、電子アセンブリがハウジング内で張力がかかった状態で保持されるよう、２つの調節機構を、それぞれエンドキャップの一方の側から操作可能である。管状体が２つの開放端部を有するように構成されている場合には、２つの相対する各側からそれぞれエンドキャップを使用して電子アセンブリに張力を加えることができる。その後、ハウジング内での電子アセンブリの状態を変化させるために、電子アセンブリに加えられる張力をねじ調節部材によって調節することができる。
【００２０】
本発明の好ましい１つの実施形態によれば、照明装置は、管形に構成され、電子アセンブリは、条片状の回路基板と、回路基板上に取り付けられる光源とを含む。この照明装置は、例えばＴ５／Ｔ８照明装置として構成され、照明装置の中に取り付けられる光源は、好ましくは線状光源である。
【００２１】
本発明の好ましい１つの実施形態によれば、光源は、ＬＥＤチップである。従って、ＬＥＤチップが取り付けられた照明装置は、高効率及び省エネという利点を有する。
【００２２】
添付図面は、本明細書の一部に含まれ、本発明のさらなる理解を提供するために使用される。このような添付図面は、本発明の実施形態を図示したものであり、明細書と共に本発明の原理を説明するために使用される。添付図面においては、同一の構成要素は、同一の参照番号によって表されている。
【図面の簡単な説明】
【００２３】
【図１】本発明の照明装置の第１実施形態の３次元部分拡大図である。
【図２】本発明の照明装置の第１実施形態の部分拡大断面図である。
【００２４】
以下の詳細な説明では、本明細書の一部を構成する添付図面が参照される。添付図面には、本発明を実施することができる特定の実施形態が図示されている。この点に関して、例えば「上」「下」「内側」「外側」等のような方向に関する用語は、説明される図の方向に関連して使用される。本発明の実施形態の構成要素は、種々異なる多数の方向で配置することができるので、方向を表す用語は、説明する目的のために使用され、決して限定するために使用されるわけではない。本発明の範囲から逸脱することなく、他の実施形態を使用できること、及び、構造的又は論理的な変更を実施できることは理解すべきである。従って、以下の詳細な説明は限定的な意味で解釈されるべきではなく、本発明の範囲は、添付した特許請求の範囲によって規定される。
【００２５】
特に断りのない限り、本明細書に記載した種々の実施例の各特徴は、互いに組み合わせることができるということを理解されたい。
【００２６】
図１には、本発明の照明装置の第１実施例の３次元部分拡大図が示されている。この実施例では、照明装置１００は、管状の輪郭を有するＴ５／Ｔ８照明装置として構成されている。照明装置１００は、管として構成されたハウジング１と、ハウジング１内に収容された細長の電子アセンブリ２とを含む。この実施例における電子アセンブリ２は、条片状の回路基板１６と、回路基板１６上に取り付けられた線光源１７とを含む。ここでは簡潔化のために、照明装置１００の端部の部分の拡大図のみが図示されている。
【００２７】
照明に影響を与えることなく電子アセンブリ２をハウジング内で固定するために、好ましくは、照明装置１００に追加的な調節機構３が配置されている。ハウジング１の少なくとも一方の端部は、電子アセンブリ２の端部Ｃ、すなわち回路基板１６と、調節可能に接続されている。これによって電子アセンブリ２は、ハウジング１の周壁に接触することなくハウジング１内で軸方向に固定され、全方向に光を出力することが可能となる。
【００２８】
ハウジング１は、管状体１４と、管状体１４の少なくとも一方の開放端部を覆うようにして閉鎖するためのエンドキャップ１５とを含む。ハウジング１の他方の端部（図示せず）は、管状体１４と一体的に形成された閉鎖端面とすることができるか、又は、同じように別のエンドキャップ１５によって閉鎖される開放端部とすることができる。細長の回路基板１６の一方の端部Ｃは、調節機構３によってエンドキャップ１５の端面９に操作可能に接続することができ、端面９の、電子アセンブリ２とは反対の側から調節機構３を操作することにより、端面９を端部Ｃへと接近させることができる。回路基板１６の他方の端部（図示せず）は、閉鎖端面（図示せず）と接続されているか、又は、対応する別のエンドキャップと接続されている。少なくとも一方の端面９が、調節機構３の作用によって軸方向に電子アセンブリ２へと接近すると、ハウジング１の２つの端部の間の距離が減少し、これによって回路基板１６を、ハウジング１の２つの端部の間でクランプすることができる。この場合、調節機構３に接続された、回路基板１６の一方の側には軸方向の引張力が加えられ、これによって回路基板１６は、ハウジング１内の画定された内部空洞Ｒ内で張力がかかった状態で固定される。
【００２９】
図２に示した断面図と組み合わせると、調節機構３は、空洞Ｒ内に位置するコネクタ４と、ハウジング１の外部から端面９を通って空洞Ｒ内へと延在するねじ調節部材５とを含むことが見て取れる。このために特に端面９には、ねじ調節部材５を貫通させるための貫通孔１０が開口されている。コネクタ４の第１端部Ａは、回路基板１６の端部Ｃと固定的に接続されており、これによって、回路基板１６に作用力を伝えるための調節機構３を操作する際に、コネクタ４と回路基板１６との間の固定的な接続が維持されるよう保証される。図１及び図２に図示されるように、第１端部Ａは、当該第１端部Ａの中に開口された停止スロット６によって、当該第１端部Ａ内で端部Ｃを保持しており、第１端部Ａと端部Ｃとを、追加的な固定部によって停止スロット６へと延在する方向に一緒に固定することができる。コネクタ４の第２端部Ｂは、ねじ調節部材５と適合的に接続させるために使用される。この実施例では、例えばプラスチックから製造されるコネクタ４の第２端部Ｂの中に、ねじ調節部材５の軸方向の移動のための長孔７が開口されており、この長孔７の内側表面は、滑らかな面である。ねじ調節部材５とねじ結合させるための金属製ナット８が、インサート射出工程等によって、１つのパーツとして長孔７と同軸上で一体化されている。
【００３０】
ボルトとして構成されたねじ調節部材５は、ねじロッド１１と、溝を備えた端面を有する停止端部１２とを含む。ねじロッド１１は、コネクタ４の第２端部Ｂからナット８の中へと延在して、ねじ結合を形成する。長孔７の中に延在するねじロッド１１の長さは、停止端部１２をハウジング１の外部からねじ回すことによって調節される。停止端部１２の溝を用いてねじ調節部材５をコネクタ４の中にねじ込むと、停止端部１２は、貫通孔１０の周縁を押圧する。当該領域は、端面９に対して凹形であり、停止端部１２のための停止領域１３を形成している。ねじロッド１１の端部と回路基板１６との間の間隔が近くなればなるほど、停止端部１２によって停止領域１３に加えられる軸方向の圧力は大きくなる。このようにして端面９の方向への引張力を、ハウジング１の外部から回路基板１６へと加えることができ、これによって回路基板１６は、内部空洞Ｒ内で張力がかかった状態で保持される。この場合、回路基板１６の他方の端部（図示せず）は、ハウジング１の他方の端部（図示せず）と固定させることができる。このようにして回路基板１６を、ハウジング１の包囲壁に接触することなく、ハウジング１の２つの端部の間で張力がかかった状態で保持することができる。
【００３１】
図２の矢印は、ねじ調節部材５のねじ込み方向と、回路基板１６がハウジング１の２つの端部から緩められた場合のコネクタ４の移動方向とを表している。調節機構３が外部から操作されると、回路基板１６の端部Ｃに、端面９の方向への引張力が加えられ、これによって回路基板１６は、張力がかかった状態となる。
【００３２】
図示しない１つの実施例においては、ねじ調節部材５とのねじ結合を実現するために第２の端部Ｂに設けられる調節部は、ねじ切付きの長孔である。ねじロッド１１を、外側周壁自体に設けられたねじ山構造を使用して、ねじ切付きの長孔の中に直接ねじ込むこと、又は、ねじ緩めることができる。
【００３３】
管状体１４の端部が２つとも開放端部Ｄである場合には、これらの開放端部Ｄを、図１及び２に図示するようなエンドキャップ１５を用いてそれぞれ閉鎖することができる。このようにすると、調節機構３は２つの端部から同時に操作可能となり、これによって回路基板１６は、上に説明した作動プロセスのように２つのエンドキャップ１５の間で張架された状態で保持される。
【００３４】
管状体１４が１つの閉鎖端部と１つの開放端部とを有する場合には、エンドキャップ１５を有する方の端部から調節機構３を操作するだけでよい。回路基板１６の一方の端部は、閉鎖端部に接続されており、回路基板１６の他方の端部は、調節機構３によって加えられる引張力を受け、これによって回路基板１６は、エンドキャップと管状体１４の閉鎖端部との間で張力がかかった状態で保持される。
【００３５】
上に説明した各実施例において回路基板上に取り付けられる光源１７は、ＬＥＤチップ、又は、他のタイプの光源とすることができる。
【００３６】
さらに、本発明の実施例の個々の特徴又は様相は、複数ある実施形態のうちの１つのみに関連して開示されたものである。このような特徴又は側面は、他の実施形態の１つ以上の別の特徴又は様相と任意に組み合わせることができ、あらゆる所与の用途又は特別な用途にとって有利となろう。さらに、「含む（include）」「有する（have）」「備える（with）」という用語又はこれらの他の活用形が、詳細な説明又は特許請求の範囲において使用される場合の範囲について、このような用語は、「含む（comprise）」と同様に包括的であることが意図されている。
【００３７】
上記は、本発明の単なる好ましい実施形態であり、本発明を限定するためのものではない。当業者であれば、本発明に種々の修正及び変更を加えることが可能であろう。本発明の理念及び原理の範囲内でのいかなる変更、同等の置換、改善も、本発明の保護範囲に含まれるものとする。
【図１】
2015524151.tif 000003
【図２】
2015524151.tif 000004
【国際調査報告】
2015524151.tif 000005
2015524151.tif 000006
2015524151.tif 000007